(57)【要約】      （修正有）【課題】菓子を魅力的に展示することが可能であり、しかも生菓子などを包装する際に保冷が可能な菓子用包装容器を提供する。【解決手段】請求項１に記載の菓子用包装容器１０は、透明な材料で形成された蓋体３０と、箱状の容器本体２０と、容器本体の上面を覆う熱良導体よりなる板材と、容器本体２０内に収容される保冷剤とにより構成した。請求項２に記載の菓子用包装容器１０は、蓋体を樹脂で構成した。請求項３に記載の菓子用包装容器１０は、蓋体をガラスで構成した。請求項４に記載の菓子用包装容器１０は、板材をアルミニウムで構成した。請求項５に記載の菓子用包装容器１０は、容器本体２０の内部に発泡スチロール製の箱体を収納して構成した。【選択図】図１
0003213265.tif 000002
【実用新案登録請求の範囲】
【請求項１】
透明な材料で形成された蓋体と、
箱状の容器本体と、
容器本体の上面を覆う熱良導体よりなる板材と、
容器本体内に収容される保冷剤と、
により成る菓子用包装容器。
【請求項２】
蓋体が樹脂製である請求項１に記載の菓子用包装容器。
【請求項３】
蓋体がガラス製である請求項１に記載の菓子用包装容器。
【請求項４】
板材がアルミ製である請求項１乃至請求項３いずれかに記載の菓子用包装容器。
【請求項５】
容器本体の内部に発泡スチロール製の箱体を収納した請求項１乃至請求項４いずれかに記載の菓子用包装容器。
【考案の詳細な説明】
【技術分野】
【０００１】
本考案は、菓子用包装用容器に関する。詳しくは、低温で保存することが要請される菓子を、外部から視認しやすく陳列可能な菓子用包装容器に関する。
【背景技術】
【０００２】
保冷可能な菓子収納ケースとして、特許文献１に蓋のコーナー部内側に保冷剤を入れることのできるコーナー収納部を設けた菓子用包装容器が開示されている。特許文献２には、緩衝剤と保冷剤を収納可能な菓子用包装容器が開示されている。
【先行技術文献】
【特許文献】
【０００３】
【特許文献１】特開２０００−２８９７８０号公報
【特許文献２】登録実用新案公報第３２０６９１０号
【考案の開示】
【考案が解決しようとする課題】
【０００４】
菓子用包装容器においては、被包装物である菓子の魅力を増大させることにより消費者の注目を惹きつけ、ひいては、消費を拡大させるためにいろいろと工夫する必要がある。
【０００５】
そこで従来は、被包装物たる菓子のイメージに基づいて、容器本体の形状を変形したり、容器本体の外表面の模様を工夫したり、商標を作成しこれを付したりして消費者の注目を引き付けていた。
【０００６】
また、生菓子やケーキなどを陳列する際には、腐敗を抑止するため、保冷の必要がある。
【０００７】
本考案もまた菓子を魅力的に展示することが可能であり、しかも生菓子などを包装する際に保冷が可能な菓子用包装容器を提供することを目的とする。
【課題を解決するための手段】
【０００８】
上記課題を解決する本考案の構成は、以下のとおりである。
【０００９】
（１）  請求項１に記載の菓子用包装容器は、透明な材料で形成された蓋体と、箱状の容器本体と、容器本体の上面を覆う熱良導体よりなる板材と、容器本体内に収容される保冷剤とにより構成した。
【００１０】
（２）  請求項２に記載の菓子用包装容器は、請求項１に記載の考案において、蓋体を樹脂で構成した。
【００１１】
（３）  請求項３に記載の菓子用包装容器は、請求項１に記載の考案において、蓋体をガラスで構成した。
【００１２】
（４）  請求項４に記載の菓子用包装容器は、請求項１乃至請求項３いずれかに記載の考案において、板材をアルミニウムで構成した。
【００１３】
（５）  請求項５に記載の菓子用包装容器は、請求項１乃至請求項４いずれかに記載の考案において、容器本体の内部に発泡スチロール製の箱体を収納して構成した。
【考案の効果】
【００１４】
上記のように構成される本考案が、如何に作用して課題を解決するかを図面を参照しながら概説する。
【００１５】
図２は本考案にかかる菓子用包装容器１０の断面図である。包装される菓子は、容器本体２０の上部開放面を覆う板材４０の上に載置されるものである。そして本考案は図１に示すように、容器本体２０に蓋体３０を被せて使用されるものであるが、蓋体３０は透明な材料で形成されていることから、包装された菓子は外部から視認することが可能となり、菓子を魅力的に展示することが可能となるのである。
【００１６】
また、容器本体２０内には保冷剤５０が収容されており、しかも板材４０は熱良導体で形成されていることから、容器本体２０と蓋体３０で囲まれる空間内は冷涼な環境を維持でき、したがって生菓子やケーキ等の腐敗などを抑制可能となるのである。
【００１７】
請求項５に記載の考案では、容器本体２０の内部に発泡スチロール製の箱体６０が収容されており、当該箱体６０内に保冷剤５０が保存されることになる。発泡スチロール製であるが故の断熱性により外部の気温の影響を受けず、保冷剤５０の保冷機能をより長期に継続させることが可能となり、つまりは包装される菓子の保存をより長期に行うことが可能となるのである。
【図面の簡単な説明】
【００１８】
【図１】本考案の斜視図
【図２】図１におけるＡ−Ａ線断面図
【図３】本考案の分解概略説明図
【考案を実施するための形態】
【００１９】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。
【００２０】
容器本体２０は、図３に示すように天面が開放された箱状体である。その天面側端部外周には、段差部２１が設けられている。この段差部２１には蓋体３０が着脱自在に嵌まるものである。また、天面側端部内周には、段差部２２が設けられている。この段差部２２には板材４０が着脱自在に嵌まるものである。
【００２１】
容器本体２０は、樹脂板、木質板または厚紙板などの、軽量で所定の強度と断熱性を有する硬質材から形成されるものである。
【００２２】
蓋体３０は図２や図３に示されるように、底面が開放された箱状体である。蓋体３０は透明素材で形成されるものであり、具体的には透明な樹脂あるいはガラスで形成されるものである。
【００２３】
板材４０は熱良導体により形成される薄板である。熱良導体としては 銅、銀、アルミニウム、鉄などを利用可能である。
【００２４】
保冷剤５０は不透水性基材からなる容器内に、保冷用媒体を封入したものである。
【００２５】
水不溶性基材、保冷用媒体としては、特に限定がなく、従来から用いられている保冷剤の水不溶性基材、保冷用媒体が使用できる。たとえば以下のものが挙げられる。
【００２６】
水不溶性基材としては、従来公知のものが使用できるが、ポリエステル、ナイロン、アクリル、ポリエチレン、ポリプロピレン、ポリウレタン、ポリスチレン、ポバール等及びその変性物等の合成樹脂が好ましい。
【００２７】
保冷用媒体としては、従来公知のものが使用できるが、水あるいは水を主体とした混合溶媒を吸収した吸水性樹脂のゲル状物が好ましい。
【００２８】
請求項５に記載の菓子用包装容器においては、容器本体２０の内部に発泡スチロール製であり、天面が開放された箱体６０が収納してある。
【符号の説明】
【００２９】
１０・・菓子用包装容器
２０・・容器本体
２１・・段差部
２２・・段差部
３０・・蓋体
４０・・板材
５０・・保冷剤
６０・・箱体
【図１】
0003213265.tif 000003
【図２】
0003213265.tif 000004
【図３】
0003213265.tif 000005